(57)【特許請求の範囲】
【請求項１】
透液性の内シートと、不透液性の外シートと、前記両シート間に設けられた液吸収層とを有する積層体により袋体が形成され、この袋体にペニスが挿入される開口部が形成された男性用尿取りパッドにおいて、
前記開口部の少なくとも一方の縁部に沿って、座屈変形時の弾性力でペニスを押圧する板状または線状の弾性部材が設けられており、
前記開口部には、前記液吸収層よりも低密度の繊維ウエッブで形成された閉塞層が設けられており、前記閉塞層には、前記開口部の中央において前記開口部の内側に向けて隆起した凸形状部分が設けられていることを特徴とする男性用尿取りパッド。
【請求項２】
前記閉塞層には、前記凸形状部分に対向する凹形状部分が設けられている請求項１記載の男性用尿取りパッド。
【請求項３】
前記閉塞層には、互いに対向して隆起する対を成す前記凸形状部分が設けられている請求項１記載の男性用尿取りパッド。
【請求項４】
平坦な前記積層体が二つ折りされ、折られた部分が袋体の底部で、この底部と逆の側で積層体が合わされた部分が前記開口部となり、且つ他の辺が閉じられて、前記袋体が形成され、前記弾性部材は、前記開口部の縁部に沿って設けられている請求項１ないし３のいずれかに記載の男性用尿取りパッド。
【請求項５】
前記積層体が、開口部の一方の縁部から袋体と逆の方向へ延出して、洩れ吸収シートが形成されている請求項１ないし４のいずれかに記載の男性用尿取りパッド。
【請求項６】
前記弾性部材は、前記外シートと吸収コアとの間に介装されている請求項１ないし５のいずれかに記載の男性用尿取りパッド。
【請求項７】
前記開口部に挿入されたペニスを前記弾性部材が押圧する力が３０〜７０ｇｆである請求項１ないし６のいずれかに記載の男性用尿取りパッド。
【発明の詳細な説明】
【０００１】
【発明の属する技術分野】
本発明は、吸収コアを有する積層体によって、ペニスが挿入可能な袋状に形成された、病人用、老人介護用、失禁患者用の男性用尿取りパッドに関する。
【０００２】
【従来の技術】
従来の、病人用、老人介護用、失禁患者用の尿取りパッドは、吸収コアを有するシート状のもので、この尿取りパッドでペニスを包むようにしている。そして、その上からおむつを装着する。しかし、シート状の尿取りパッドをペニスを包む形状に変形させなくてはならず、装着が面倒である。また、ペニスを包んでいるシートの先部から尿が洩れ出やすい欠点がある。
そこで、実開昭６３−１６０８５号公報、実開平４−４４９１３号公報、実開平６−２６８２８号公報には、ペニスの挿入口が形成された尿とりパッドが提案されている。
【０００３】
【発明が解決しようとする課題】
しかし、従来のこの種の尿取りパッドは、人が動いたり寝返りをうったときに、前記挿入口からペニスが抜けやすかったり、または多量の尿が排泄されたときに、挿入口から尿がパッド外に洩れやすい欠点がある。
すなわち、男性のペニスの形状、大きさ、向きなどは個人により差があり、全ての人のペニスにフィットする挿入口を形成することは困難である。また装着時に挿入口とペニスとがフィットしていたとしても、ペニスの膨張や収縮により、ペニスが締め付けられたり、またはペニスと挿入口とがルーズになりやすい。
【０００４】
したがって、前記挿入口の開口面積をペニスよりも十分に広くしておくことが必要になる。そのため、挿入口からペニスが抜けやすくなり、また挿入口とペニスとの間に隙間が形成されて尿が洩れやすくなる。また、介護者などが尿取りパッドを装着するときに、ペニスを手で掴んで挿入口から挿入することが必要になり、装着が面倒である。
【０００５】
本発明は上記従来の課題を解決するものであり、ペニスに簡単に着脱でき、また容易にペニスが抜けることがない男性用尿取りパッドを提供することを目的としている。
【０００６】
また、本発明は、ペニスに手を触れることなく装着することが可能な男性用尿取りパッドを提供することを目的としている。
【０００７】
さらに、本発明は、ペニスが挿入される開口部から尿が洩れにくいようにした男性用尿取りパッドを提供することを目的としている。
【０００８】
【課題を解決するための手段】
本発明は、透液性の内シートと、不透液性の外シートと、前記両シート間に設けられた液吸収層とを有する積層体により袋体が形成され、この袋体にペニスが挿入される開口部が形成された男性用尿取りパッドにおいて、
前記開口部の少なくとも一方の縁部に沿って、座屈変形時の弾性力でペニスを押圧する板状または線状の弾性部材が設けられており、
前記開口部には、前記液吸収層よりも低密度の繊維ウエッブで形成された閉塞層が設けられており、前記閉塞層には、前記開口部の中央において前記開口部の内側に向けて隆起した凸形状部分が設けられていることを特徴とするものである。
例えば、前記閉塞層には、前記凸形状部分に対向する凹形状部分が設けられているものである。あるいは、前記閉塞層には、互いに対向して隆起する対を成す前記凸形状部分が設けられているものである。
【０００９】
この尿取りパッドは、開口部の縁部に沿って設けられた板状または線状弾性部材を、その長手方向両端から指で挟んで押すと、座屈変形を生じて開口部が開く。そのままペニスを開口部に挿入して指を離すと、弾性部材が平坦な状態に復元しようとし、座屈変形状態の弾性部材によりペニスが押圧される。よって、その後はペニスが開口部から容易に抜け出なくなる。
【００１０】
前記弾性部材は、プラスチックの板、プラスチックの棒などであるが、使い捨て後に焼却することを考慮したとき、前記弾性部材は厚紙の板、または紙の棒、あるいは前記厚紙などに補強樹脂を含浸させたものが好ましい。
【００１１】
例えば、平坦な前記積層体が二つ折りされ、折られた部分が袋体の底部で、この底部と逆の側で積層体が合わされた部分が前記開口部となり、且つ他の辺が閉じられて、前記袋体が形成され、前記弾性部材は、前記開口部の縁部に沿って設けられるものとなる。
【００１２】
さらに、前記積層体が、開口部の一方の縁部から袋体と逆の方向へ延出して、洩れ吸収シートが形成されていることが好ましい。
【００１３】
ペニスが袋体内に挿入された状態で、この洩れ吸収シートは、睾丸の部分さらには股の部分に当てられる。よって、開口部から尿が洩れ出た場合でも、洩れた尿が洩れ吸収シートの吸収コアで吸収され、尿取りパッドの外へ尿が洩れにくくなる。ただし、この洩れ吸収シートは必ずしも設けなくてもよい。
【００１４】
また前記弾性部材は、前記外シートと吸収コアとの間に介装されていることが好ましい。あるいは弾性部材が外シートの外側に張り付けられていてもよい。
【００１６】
前記閉塞層を設けると、開口部にペニスが挿入され、開口部が弾性部材の弾性力で閉じたときに、前記閉塞層がペニスの回りを包み込むようになって、ペニスと開口部との隙間が閉じられ、袋体内から開口部を経て外部へ流れようとする尿が閉塞層で止められるようになる。
【００１７】
なお、前記開口部に挿入されたペニスを前記弾性部材が押圧する力が３０〜７０ｇｆであることが好ましい。
【００１８】
【発明の実施の形態】
図１は本発明の男性用尿取りパッドの全体構造を示す斜視図、図２は男性用尿取りパッドが男性に装着された状態の概略を示す断面図、図３は男性用尿取りパッドの参考例を示すものであり、図２のＩＩＩ−ＩＩＩ線の断面図に相当する断面図である。
この男性用尿取りパッドの全体構造は、袋体１と、この袋体１に形成された開口部２と、この開口部の一方の縁部から、袋体１と逆の方向へ延出する洩れ吸収シート３とから成る。
前記袋体１および洩れ吸収シート３は、図２に示すような積層体のシートで形成されている。この積層体は、内シート５と外シート７、および内シート５と外シート７との間に挟まれた吸収コア６とが積層されたものである。
【００１９】
内シート（トップシート）５は透液性であり、着用者の肌に対して柔らかいシートである。内シート５は、例えばレーヨン繊維、ポリエステルまたはポリエチレン繊維などの合成繊維、またはこれらの繊維の組合せで形成された、繊維交絡不織布（スパンレース不織布）などである。また内シート５は、尿を透過しやすいように多数の孔が形成されているものでもよい。外シート（バックシート）７は不透液性であり、通気性で且つ防水性のプラスチックフィルムなどで形成される。
吸収コア６は、天然パルプ繊維などの液吸収性繊維を主体とした繊維ウエッブに、高吸収性ポリマー（ＳＡＰ）の粒子が混在しているものであり、これらがティッシュで挟まれまたは包まれている。
【００２０】
袋体１は、内シート５、吸収コア６、外シート７から成る積層体が二つ折りにされて構成され、折られた部分が袋体１の底部１ａとなる。開口部２の一方の縁部２ａにおいて、内シート５と外シート７とがホットメルト接着剤などで接合されている。図３に示すように、袋体１の前記底部１ａおよび開口部２を除く他の辺（図１では２辺）１ｂ，１ｂでは、吸収コア６を介在させることなく、内シート５と外シート７の縁部どうしがホットメルト接着剤などで接着され、さらに二つ折りされた一方の積層体Ａと他方の積層体Ｂの内シート５どうしがホットメルト接着剤などで接着されている。よって、袋体１は、開口部２のみが開放され、他の部分は封止された形状である。また底部１ａでは積層体が二つ折りされているため、前記底部１ａは吸収コア６が存在している。
二つ折りとされた他方の積層体Ｂは、開口部２からさらに袋体１と逆の方向に延出され、この延出された部分では、内シート５が皮膚側に向けられた前記洩れ吸収シート３となっている。
【００２１】
図１に示すように、袋体１の前記開口部よりもやや底部１ａ寄りの部分では、左右両側の辺１ｂ，１ｂに窪み１ｃ，１ｃが対称形状に形成され、この部分で袋体１の幅寸法Ｗが他の部分よりも細くなっている。この細くなっている部分では、図２および図３に示すように、板状の弾性部材８が介装されている。この板状の弾性部材８は、プラスチック板、または厚紙による板である。あるいは厚紙による板に樹脂が含浸されて弾性力が補強されているものでもよい。この弾性部材８は、積層体の外シート７の内面にホットメルト接着剤などで固定されている。または、この弾性部材８が、外シート７の外面に接着されて固定されてもよい。
なお、前記窪み１ｃ，１ｃにより細くなっている部分の袋体１の幅寸法Ｗは、大人が親指と人差し指、または親指と中指とで弾性部材８の両端部を保持しやすいように、８ｃｍまたは１０ｃｍ以上で、１２ｃｍ以下程度に設定されることが好ましい。
【００２２】
上記尿取りパッドの装着方法を説明する。
前記弾性部材８，８が平坦に延びようとする弾性復元力により、非装着時は、開口部２において、二つ折りにした一方の積層体Ａと他方の積層体Ｂが密着し、開口部２が閉じられている。
装着するときには、袋体１の窪み１ｃ，１ｃの部分に、親指と人差し指、または親指と中指を当て、窪み１ｃと１ｃの部分で袋体１に対し、弾性部材８，８の両側から力Ｆ、Ｆを与える。その結果、弾性部材８，８が共に座屈変形し、弾性部材８と８の中央部分どうしが互いに離れ、開口部２が開いて挿入口が形成される。図２に示すように、そのまま開口部２に形成された挿入口にペニスＰの先部を入れ、開口部２をペニスＰの根元まで移動させる。このとき、袋体１から延出する洩れ吸収シート３は、図２に示すように睾丸の下および股間部に当てられる。
【００２３】
開口部２がペニスＰの根元まで至った時点で、窪み１ｃ，１ｃを挟んでいた指を離すと、図３に示すように、座屈している弾性部材８と８の復元弾性力で、ペニスＰが力Ｆ１とＦ１とで押圧される。その結果、ペニスＰの根元部分と開口部２とがフィットし、袋体１がペニスＰから外れないように装着される。尿取りパッドを装着した状態で、大人用おむつを装着する。
この尿取りパッドでは、図１に示すように、弾性部材８，８の両端側を指で挟んで力Ｆ、Ｆを与えると開口部２が簡単に開くために、片手で尿取りパッドを持ってそのまま開口部２を開くことができる。開口部２を開いたまま、ペニスＰを袋体１内に挿入して、指を窪み１ｃ，１ｃから離すだけで装着を完了できるため、装着作業が簡単である。また左手でペニスを掴まなくても、装着が可能である。
【００２４】
装着が完了すると、弾性部材８，８の押圧力Ｆ１，Ｆ１でペニスＰの根元が挟まれるため、おむつ内でペニスＰから尿取りパッドが外れることがなく、着用者が動いても、おむつ内で尿取りパッドが位置ずれを生じることがない。
この尿取りパッドでは座屈変形する弾性部材８，８を使用しているため、装着状態で、弾性部材８，８がペニスを押圧する力が非常に弱く、例えば２枚の弾性部材８，８の押圧力Ｆ１，Ｆ１の合計で３０〜７０ｇｆ程度である。よってペニスＰへの圧迫感が弱く、装着者が違和感を感じにくい。さらにペニスが膨張、収縮しても、開口部がこれに追従でき、しかもペニスが膨張したときの弾性部材８，８の押圧力Ｆ１の変化はほとんどないため、常に最適な状態で、ペニスＰを保持できる。また、図３に示すように弾性部材８，８が座屈変形した状態で３０〜７０ｇｆ程度の押圧力Ｆ１，Ｆ１を発揮するものでは、この弾性部材８，８を座屈させるために必要な力Ｆ，Ｆはわずかであり、片手の指の力で弾性部材８，８を容易に座屈変形させることが可能である。
【００２５】
尿が排泄されると、尿は内シート５を透過して吸収コア６に吸収されるが、袋体１は、開口部２以外の部分が閉鎖されており、さらに底部１ａは積層体が折られており、この底部１ａに吸収コア６が介在しているため、排泄された尿は袋体１内で確実に吸収でき、外部に洩れにくい。
仮に多量の尿が排泄されその一部が、開口部２から洩れたとしても、この洩れた尿は睾丸および股の部分に当てられた洩れ吸収シート３の吸収コア６により吸収されるため、おむつ内に多量の尿が洩れ出ることが防止できる。
また、取り外すときも、袋体１の窪み１ｃ，１ｃを指で挟んで、弾性部材８，８を座屈変形させ開口部２の開口面積を大きくすれば、そのまま片手でペニスＰから離すことができる。外した後に指を離すと、弾性部材８，８の弾性復元力により、開口部２が自然に閉じる。
【００２６】
図４と図５は、本発明の実施の形態の尿取りパッドの詳細を形態別に示すものであり、開口部２の部分の断面（図２のＩＩＩ−ＩＩＩ線で切断した断面）を、ペニスが装着されていない状態で示したものである。
この実施の形態では、少なくとも開口部２の部分で、吸収コア６が、液吸収層１１と、その内側の閉塞層１２との２層構造となっており、この閉塞層１２の内側が前記内シート５で覆われている。
【００２７】
前記液吸収層１１は、天然パルプ繊維などの液吸収性繊維を主体としたウエッブに、高吸収性ポリマー（ＳＡＰ）の粒子が混在しているものである。また、閉塞層１２は、前記液吸収層１１よりも密度が低く、液吸収層１１を構成する繊維よりも弾性力の大きい繊維で形成されたウエッブである。この閉塞層１２を構成する繊維は、ポリエステル繊維などの疎水性の合成繊維を主体とし、必要に応じてレーヨンなどの吸水性繊維が混合されたものである。前記ポリエステル繊維などの合成繊維を使用する場合、親水処理されたもの、または吸汗性のものを使用することが好ましい。
【００２８】
図４に示すものでは、二つ折りされた一方の積層体Ａで、前記閉塞層１２の幅方向の中央が凸形状部分１２ａとなり、他方の積層体Ｂでは、前記凸形状部分１２ａに対応する部分が凹形状部分１２ｂである。図５に示すものでは、前記閉塞層１２がいわゆるキルティング形状であり、この閉塞層１２を覆う内シート５が部分的に縫い込まれ、または熱融着されるなどして、複数の凸形状部分が形成されている。
【００２９】
図４および図５に示すものでは、弾性部材８，８の座屈変形状態での弾性力で、ペニスＰが押圧されたとき、繊維の密度が粗で且つ弾性に富む繊維ウエッブで形成された前記閉塞層１２によりペニスＰが包まれ、図３に示すような、ペニスＰと開口部２との隙間（ｉ）（ｉ）が極力塞がれるようになる。
よって袋体１内から開口部２を経て洩れ出ようとする尿は、閉塞層１２で留められ、開口部２から外へ洩れにくくなる。
なお、前記弾性部材８が一方の積層体Ａ側にのみ設けられたものであっても、開口部２に挿入されたペニスを保持することが可能である。
【００３０】
【発明の効果】
以上のように、本発明の男性用尿取りパッドでは、袋体の開口部に沿って座屈変形による弾性力を発揮する弾性部材が設けられているため、ペニスが袋体の開口部に保持されるものとなり、袋体がペニスから外れにくい。また座屈変形の弾性力でペニスが保持されるため、その保持力が過大にならず、装着時の違和感がない。また片手で装着し且つ離脱する操作を簡単に行うことができる。
【００３１】
さらに、開口部の吸収コアに閉塞層を設けることにより、ペニスと開口部との隙間を塞ぎやすくなり、開口部から尿が洩れにくくなる。さらに袋体から延出する洩れ吸収シートを設けると、開口部から洩れた尿をこの洩れ吸収シートで吸収できるようになる。
【図面の簡単な説明】
【図１】本発明の男性用尿取りパッドの全体構造の一例を示す斜視図、
【図２】図１に示す男性用尿取りパッドが装着された状態の概略を示す断面図、
【図３】男性用尿取りパッドの参考例を示すものであり、図２のＩＩＩ−ＩＩＩ線の断面図に相当する断面図、
【図４】本発明の実施の形態の男性用尿取りパッドの開口部付近を示すものであり、図２のＩＩＩ−ＩＩＩ線の断面図、
【図５】本発明の実施の形態の男性用尿取りパッドの開口部付近を示すものであり、図２のＩＩＩ−ＩＩＩ線の断面図、
【符号の説明】
１  袋体
１ａ  袋体の底部
２  開口部
３  洩れ吸収シート
５  内シート
６  吸収コア
７  外シート
８  弾性部材
１１  液吸収層
１２  閉塞層
【図１】
0003611429.tif 000002
【図２】
0003611429.tif 000003
【図３】
0003611429.tif 000004
【図４】
0003611429.tif 000005
【図５】
0003611429.tif 000006